(57)【特許請求の範囲】
【請求項１】
髪用塗剤を収容する容器に脱着自在に係合する連結部と、該連結部より延び、内部に前記容器より噴出される髪用塗剤を案内する連通孔が設けられた細長い第１櫛歯支持部と、前記第１櫛歯支持部に立設された複数の内側櫛歯と、前記第１櫛歯支持部に脱着自在に係合する第２櫛歯支持部と、前記第２櫛歯支持部を前記第１櫛歯支持部に取り付けると、前記複数の内側櫛歯を囲むように、前記第２櫛歯支持部の外周に立設された複数の外側櫛歯とを備え、前記内側櫛歯は前記外側櫛歯よりも短く、内側櫛歯には前記連通孔と連通し、泡状塗剤を吐出する吐出ノズルが基部近くに設けられていることを特徴とする髪用泡状塗剤塗布用具。
【請求項２】
前記内側櫛歯の長さは前記外側櫛歯の長さのほぼ２分の１であることを特徴とする請求項１に記載の髪用泡状塗剤塗布用具。
【請求項３】
前記内側櫛歯は、列状に等間隔に配列されていることを特徴とする請求項１または請求項２に記載の髪用泡状塗剤塗布用具。
【請求項４】
前記泡状塗剤を吐出する吐出ノズルは内側櫛歯の配列された方向に沿って内側櫛歯の両側に設けられていることを特徴とする請求項１〜請求項３のいずれかの１項に記載の髪用泡状塗剤塗布用具。
【請求項５】
第１櫛歯支持部は第２櫛歯支持部に設けられた溝にスナップ嵌合されることを特徴とする請求項１〜請求項４のいずれかの１項に記載の髪用泡状塗剤塗布用具。
【発明の詳細な説明】
【０００１】
【産業上の利用分野】
本発明は、髪用泡状塗剤塗布用具に関し、より詳細には、整髪料または毛染め剤を泡状にして毛髪に塗布するための髪用泡状塗剤塗布用具に関する。
【０００２】
【従来の技術】
髪用塗剤、例えば整髪料または毛染め剤を塗布するのに、髪用塗剤を容器から高圧ガス、例えばＬＰＧガスの圧力を利用し、泡状にして髪に塗布する、いわゆる泡状エアゾールタイプの塗布用具が使用されている。
【０００３】
この髪用泡状塗剤塗布用具は、一般に髪用塗剤を収容する容器とこれに脱着自在に係合されるブラシ本体とから構成されており、使用の際にブラシ本体を容器にねじ込んだ後、ブラシ本体の基部に設けられたボタンを押すと、ブラシ本体に植設された櫛歯の間から泡状の塗剤が吐出され、髪を梳く操作によって塗剤を毛髪に塗布するようになっている。
【０００４】
【発明が解決しようとする課題】
しかしながら、従来のこの種の髪用泡状塗剤塗布用具は、櫛歯での泡の保持力が不十分であるために、特に長い髪に塗布する際には、髪の根元から毛先まで１度に塗布し得るに十分な量の泡を保持することができなく、塗布操作が煩雑であった。
【０００５】
また櫛歯での泡の保持力が不十分であるために、塗剤の塗布中に泡がブラシから落下し易く、特に髪用塗剤が毛染め剤の場合には、衣服または身体に色が付くので、かかる塗布用具の使用に細心の注意が必要であった。
【０００６】
よって本発明の目的は、泡状の塗剤の保持力の大きな櫛歯を有するエアゾールタイプの毛髪用塗布用具を提供することにある。
【０００７】
また本発明の目的は、着脱自在に取り付けられる外側櫛歯を取り外すことによって、生え際部分の毛髪への塗布に適した形状に変形させることのできる塗布用具を提供することにある。
【０００８】
【課題を解決するための手段】
上記課題は、髪用塗剤を収容する容器に脱着自在に係合する連結部と、該連結部より延び、内部に前記容器より噴出される髪用塗剤を案内する連通孔が設けられた細長い第１櫛歯支持部と、前記第１櫛歯支持部に立設された複数の内側櫛歯と、前記第１櫛歯支持部に脱着自在に係合する第２櫛歯支持部と、前記第２櫛歯支持部を前記第１櫛歯支持部に取り付けると、前記複数の内側櫛歯を囲むように、前記第２櫛歯支持部の外周に立設された複数の外側櫛歯とを備え、前記内側櫛歯は前記外側櫛歯よりも短く、内側櫛歯には前記連通孔と連通し、泡状塗剤を吐出する吐出ノズルが基部近くに設けられている髪用泡状塗剤塗布用具によって解決することができる。
【０００９】
前記内側櫛歯の長さは、前記外側櫛歯の長さのほぼ２分の１であることが好ましい。
【００１０】
また、前記内側櫛歯は、列状に等間隔に配列されていることが好ましい。
【００１１】
前記泡状塗剤を吐出する吐出ノズルは、内側櫛歯の配列された方向に沿って両側に設けられていることが好ましい。
【００１２】
前記連結部には、髪用塗剤を収容する容器の吐出機構を作動させるための作動機構が設けられていることが好ましい。
【００１３】
第１櫛歯支持部は、第２櫛歯支持部に設けられた溝にスナップ嵌合されるものであることが好ましい。
【００１４】
【作用】
上記の本発明の髪用泡状塗剤塗布用具によれば、塗布用具の連結部に設けられているボタンを押すと、容器に設けられているバルブが開き、内部の髪用塗剤が空気と混合され、連通孔を通って内側櫛歯に設けられた吐出ノズルより泡状になって吐出される。
【００１５】
吐出ノズルは、外側櫛歯に囲まれた空間に位置しているので、吐出ノズルから吐出された泡は、まず内側櫛歯に付着し、次に内側櫛歯の間の空間を満たし、さらに内側櫛歯と外側櫛歯との間の空間を満たす。
【００１６】
この状態において、泡状塗剤は自身の粘着性により外側櫛歯の内部の空間に、櫛歯の根元から櫛歯の先端に亙って万遍なく保持されるため、泡保持性が極めて良好である。
【００１７】
したがって、本発明の髪用泡状塗剤塗布用具は、該塗布用具の使用中に泡が落下するおそれがなく、しかも長い髪に塗布する際の髪の根元から毛先までを連続して塗布し得るに十分な量の泡を保持することができるため、塗布操作を容易に行なえる。
【００１８】
また、本発明の髪用泡状塗剤塗布用具は、第２櫛歯支持部が第１櫛歯支持部に対して着脱自在に係合するため、第２櫛歯支持部を取り外した状態にすると、第１櫛歯支持部に立設された短い内側櫛歯のみによる塗布用具になり、細かい塗布作業が必要な生え際の毛髪への塗布を容易に行なえるようになる。
【００１９】
【実施例】
以下、添付図面を参照して、本発明の髪用泡状塗剤塗布用具の具体的な構成について説明する。
【００２０】
まず図１を参照するに、ここには、髪用塗剤を収容した容器１０と該容器１０に連結された髪用泡状塗剤塗布用具２０とが示されている。
【００２１】
この髪用泡状塗剤塗布用具２０は、容器１０に脱着自在に取り付けられる連結部３０と、この連結部３０より延び先端部に第１櫛歯支持部４０を有するブラシ本体４２とから成る。
【００２２】
連結部３０はほぼキャップ状の構造をしており、内側壁に設けられた雌ネジ３２を容器の雄ネジ１２に螺合することにより、容器１０に取り付けられる。
【００２３】
容器１０内には髪用塗剤、本実施例では毛染め剤、気泡剤および高圧ガスが充填されている。
【００２４】
連結部３０のショルダー部３４には押しボタン３６が設けられており、容器を握りながらこの押しボタン３６を押すと、連結部３０内に設けられたスプリング部材３８を介して、容器１０の吐出ノズル１４を押すことができる。
【００２５】
連結部３０の内部機構は、この種の容器の従来のものと同様であり、例えば特願平４−１７６０９１号（特開平５−３３７００８号）に説明されているいるような機構を利用することができる。
【００２６】
ブラシ本体４２は、容器１０の中心軸線Ｃに対して若干傾斜した状態で、連結部３０より前方に延びており、先端部に細長い第１櫛歯支持部４０が設けられている。
【００２７】
図示するように、このブラシ本体４２の内部には、髪用塗剤を導くための連通孔４４が設けられている。
【００２８】
連通孔４４内には、前記連結部３０内のスプリング部材３８に一端が固定された案内パイプ４８が移動自在に挿入されており、パイプ４８はその先端が第１櫛歯支持部４０のほぼ中央に位置するように延びている。
【００２９】
第１櫛歯支持部４０には、複数の内側櫛歯５４が長手方向に等間隔で立設されている。
【００３０】
なお、図面に示す実施例では、図２に示すように、第１櫛歯支持部４０の櫛歯植え込み側に、内側櫛歯差し込み用の複数個の穴５４’が設けられており、これらの各穴５４’に、図１及び図５に示すごとく、内側櫛歯５４を差し込んで立設させている。
【００３１】
また、図５に詳細に示すように、これらの内側櫛歯５４には、下端から長手方向の途中まで貫通孔５８が設けられており、この貫通孔５８は第１櫛歯支持部４０の長手方向に沿う内側櫛歯５４の側面で、しかも基部近くに設けられた吐出ノズル６０に連通している。
【００３２】
さらにこの貫通孔５８は、第１櫛歯支持部４０内の連通孔４４に連通している。
【００３３】
第１櫛歯支持部４０には、次に述べる第２櫛歯支持部４１が脱着自在に係合されている。
【００３４】
第２櫛歯支持部４１は、図４に示すように、平面がほぼ長方形をした部材であり、中央部に長手方向に沿って溝４３が設けられており、その溝４３の回りに複数の外側櫛歯がほぼ等間隔で立設されている。
【００３５】
溝４３の横断面は、第１櫛歯支持部４０の横断面とはほぼ相補的であり、第１櫛歯支持部４０を第２櫛歯支持部４１の溝４３に密着した状態で嵌合できるようになっている。
【００３６】
図２に示すように、第１櫛歯支持部４０の先端近くには突起４５が設けられており、第２櫛歯支持部４１を第１櫛歯支持部４０に挿入したときには、第１櫛歯支持部４０の突起４５が第２櫛歯支持部４１の溝４３の凹部４７にスナップ嵌合し、第２櫛歯支持部４１が第１櫛歯支持部４０から容易に脱落しないようになっている。
【００３７】
図３の矢印Ａで示す方向に、第１櫛歯支持部４０の突起４５を第２櫛歯支持部４１の溝４３に嵌合すると、第１櫛歯支持部４０に立設された内側櫛歯５４は第２櫛歯支持部４１の外側櫛歯５２に囲まれ、内側櫛歯５４と外側櫛歯５２とは長手方向に沿ってその位置がジグザグ状態に配列される。
【００３８】
次に、髪用塗剤を収容した容器１０と髪用泡状塗剤塗布用具２０との作動について説明する。
【００３９】
上記の髪用泡状塗剤塗布用具２０が連結された容器１０において、押しボタン３６を押すとスプリング部材３８を介して容器１０の吐出ノズル１４が押され、内部の毛染め剤が気泡剤と共に案内パイプ４８を通ってその先端から吐出され、次にその連通孔４４を通り、各内側櫛歯５４内の貫通孔５８を通って吐出ノズル６０より泡状に吐出される。
【００４０】
吐出された泡は、まず内側櫛歯５４に付着し、次に内側櫛歯５４の間の空間を満たし、次に内側櫛歯５４と外側櫛歯５２との間の空間を万遍なく満たす。この状態で髪を梳く操作により、毛染め剤を髪に塗布することができる。
【００４１】
【発明の効果】
本発明の髪用泡状塗剤塗布用具によれば、泡は内側櫛歯５４と外側櫛歯５２の間の空間に万遍なく保持されるので、泡の保持性が良好であるため、髪用泡状塗剤の塗布操作の際に泡が不意に落下して衣服または身体に付着するおそれがない。
【００４２】
また本発明の髪用泡状塗剤塗布用具によれば、泡の保持性が良好であるため、特に長い髪に塗布する際にも、髪の根元から毛先まで１度に塗布し得る量の泡を保持することができるため、髪用泡状塗剤の塗布操作が容易である。
【００４３】
さらに、本発明の髪用泡状塗剤塗布用具によれば、長い外側櫛歯が植設されている第２櫛歯支持部を第１櫛歯支持部より取り外すことにより、短い内側櫛歯のみによる泡状塗剤の塗布操作を行なえるため、細かい塗布作業が必要とされる生え際の毛髪への塗布を容易に行なうことができる。
【図面の簡単な説明】
【図１】本発明の髪用泡状塗剤塗布用具の１実施例品を備えた容器を示す部分断面図である。
【図２】第１櫛歯支持部を櫛歯植え込み側から見た平面図である。
【図３】第２櫛歯支持部および外側櫛歯を櫛歯先端部から見た平面図である。
【図４】第２櫛歯支持部の側断面図である。
【図５】図１の髪用泡状塗剤塗布用具の先端部を示す拡大部分断面図である。
【符号の説明】
４０・・・・第１櫛歯支持部
４１・・・・第２櫛歯支持部
５２・・・・外側櫛歯
５４・・・・内側櫛歯
５８・・・・連通孔
６０・・・・吐出ノズル
【図１】
0003579844.tif 000002
【図２】
0003579844.tif 000003
【図３】
0003579844.tif 000004
【図４】
0003579844.tif 000005
【図５】
0003579844.tif 000006